(57)【特許請求の範囲】
【請求項１】
間接照明を行う範囲に対応して設置するレールと、該レールに沿って移動可能に構成した複数の照明器具とから構成し、複数の照明器具は順次連結して移動可能に構成すると共に、電源線を順次接続可能に構成し、照明器具は、下側に車輪を設けた移動部と、その上方において光源を支持する光源支持部とから構成し、レールは上側を開口した溝形の構成とすると共に、上部両縁から内側に外れ防止片を突設した構成とし、移動部をレールの外れ防止片の内側に移動可能に装着したことを特徴とする間接照明装置
【請求項２】
照明器具には、一端側に電源プラグを設けると共に他端側に電源アウトレットを設けて電源線を順次接続可能に構成したことを特徴とする請求項１記載の間接照明装置
【請求項３】
レールの適所において、照明器具の長さよりもやや長い距離に渡って外れ防止片をなくして照明器具取付取外部を構成したことを特徴とする請求項１又は２に記載の間接照明装置
【請求項４】
光源支持部には外れ防止片の上方に位置する鍔を突設したことを特徴とする請求項１、２又は３に記載の間接照明装置
【発明の詳細な説明】
【０００１】
【発明の属する技術分野】
本発明はホテルのロビー等における間接照明装置に関するものである。
【０００２】
【従来の技術】
例えば１，２階等にわたる吹き抜けを有するロビー等では、コーヴ照明のための照明器具の設置個所が床面から高い位置にあるため、蛍光灯等の光源の取り替えに際して、従来は足場を架けて行っている。
【０００３】
【発明が解決しようとする課題】
このため次のような課題がある。
ａ．危険な高所作業を伴う。
ｂ．足場は各照明器具に手が届くように広い範囲に架けなければならず、足場設置費用が掛かる。
本発明では、このような課題を解決することを目的とする。
【０００４】
【課題を解決するための手段】
上述した課題を解決するために、本発明では、間接照明を行う範囲に対応して設置するレールと、該レールに沿って移動可能に構成した複数の照明器具とから構成し、複数の照明器具は順次連結して移動可能に構成すると共に、電源線を順次接続可能に構成し、照明器具は、下側に車輪を設けた移動部と、その上方において光源を支持する光源支持部とから構成し、レールは上側を開口した溝形の構成とすると共に、上部両縁から内側に外れ防止片を突設した構成とし、移動部をレールの外れ防止片の内側に移動可能に装着した間接照明装置を提案する。
【０００５】
また本発明では、上記の構成において、照明器具の一端側に電源プラグを設けると共に他端側に電源アウトレットを設けることにより、電源線を順次接続可能に構成することを提案する。
【０００６】
更に本発明では、上記の構成において、レールの適所において、照明器具の長さよりもやや長い距離に渡って外れ防止片をなくして照明器具取付取外部を構成することを提案する。
【０００７】
更に本発明では、上記の構成において、光源支持部には外れ防止片の上方に位置する鍔を突設することを提案する。
【０００８】
以上の本発明によれば、複数の照明器具をレールの適所において順次連結して移動することにより、これらの照明器具を間接照明を行う範囲の所定位置に設置状態とし、順次接続した電源線により給電して点灯することができる。
【０００９】
またこのように間接照明を行う範囲の所定位置に設置状態の複数の照明器具は、連結状態でレールの適所まで移動し、連結を解除して個々にレールから取り外すことができる。このようにして複数の照明器具の全てをレールの適所において取り外すことができる。また逆の手順により取り付けて、上述したように設置状態とすることができる。
【００１０】
以上の取り外し及び取り付けの過程内において、レールの適所に対応する作業位置で蛍光灯等の光源の取り替えを行うことができる。このレールの適所は、作業に足場が不要、もしくは脚立程度の低い足場で十分な場所がある場合には、そこに設定することができるし、このような場所がなく、高い足場が必要になる場合でも、最少限度の足場で良い。
【００１１】
照明器具の取り替えにおいては、例えば、照明器具を、個々にレールから取り外す前に光源の取り外しを行うと共に、個々にレールに嵌めて先に嵌めているものと連結した後に光源の取り付けを行うようにすれば、安全性を高めることができる。
【００１２】
【発明の実施の形態】
次に本発明の実施の形態を図１〜図９を参照して説明する。
上述したとおり、本発明の間接照明装置は、間接照明を行う範囲に対応して設置するレール１と、該レール１に沿って移動可能に構成した複数の照明器具２とから構成する。図１では、これらの要素を斜視図で表している。図１、図２は本発明の間接照明装置の設置例を示すもので、図１は図２のＸ−Ｘ線の矢視方向に見た説明的平面図である。この例はホテルのロビー等における間接照明に適用したもので、ロビーの天井３の両側に平行に配設したコーヴ４内に本発明の間接照明装置を設置している。
【００１３】
レール１は図９に示すように、上側を開口した溝形の構成とすると共に、上部両縁から内側に外れ防止片５を突設した構成としており、適宜の長さのものを複数接続して所定の長さに構成し、両端にはエンドプレート６を設けている。そして一方側の端側には、後述するように、外れ防止片５をなくした照明器具取付取外部７を設けている。
【００１４】
次に、照明器具２は、概ね、下側に車輪８を設けた移動部９と、その上方において光源１０を支持する光源支持部１１とから構成している。図７に示すように、移動部９はレール１の外れ防止片５の内側に外れないように装着して移動可能とするもので、光源支持部１１には外れ防止片５の上方に位置する鍔１２を突設している。
【００１５】
さらに照明器具２において、光源１０は蛍光灯としており、この蛍光灯１０は通常のコーブ照明用の照明器具と同様に、一対をずらして並設しており、光源支持部１１も、このような蛍光灯１０の配置に対応した形状としている。また照明器具２には、一端側に電源プラグ１３を設けると共に、他端側に電源アウトレット１４を設けて、複数の隣接した照明器具２の電源線を順次接続可能に構成している。さらに照明器具２には、一端側に先端が上方に曲がっている形状の鉤部１５を設けると共に、他端側に、隣接する他の照明器具２の鉤部１５を係合させるループ１６を設けている。
【００１６】
上述したとおり、レール１の一方側の端側には、外れ防止片４をなくした照明器具取付取外部６を設けており、この照明器具取付取外部６においては図８に示すように照明器具２の移動部９が出入り自在となる。この照明器具取付取外部６を設けているレール１の一方側の端側はロビー１７の一方側の端側であり、この端側には中二階部１８が構成されている。
【００１７】
以上の構成において間接照明装置を設置するには、中二階部１８に脚立等の支持台を設置し、この支持台上に作業員が乗って作業を行う。まず作業員は、最初の照明器具２ａをコーヴ４内のレール１の照明器具取付取外部６に入れる。照明器具２ａの向きは、鉤部１５及び電源プラグ１３を設けている一端側が手前のエンドプレート側となる向きとする。次いで、次の照明器具２ｂが照明器具取付取外部６に入る位置まで照明器具２ａをレール１に沿って移動させ、この状態において照明器具２ｂを照明器具取付取外部６に入れる。この際、照明器具２ｂのループ１６を、照明器具２ａの鉤部１５に係合させる。鉤部１５は先端が上方に曲がっているため、ループ１６の係合は、単に位置合わせをして照明器具２ｂを照明器具取付取外部６内に上方から置くだけで良い。このようにして照明器具２ａ，２ｂを連結した後、照明器具２ａの電源プラグ１３を、照明器具２ｂの電源アウトレット１４に嵌めて電源線を接続する。
【００１８】
以上のような動作で複数の照明器具２を順次連結してレール１に沿って移動することにより、ロビー１７のコーヴ４内に所定数の照明器具２を設置することができる。最後の照明器具２ｎを、その前の照明器具２ｎ-1に連結したら、次いで適宜配線した電源線の電源アウトレット（図示省略）に照明器具２ｎの電源プラグ１３を接続して本発明にかかる間接照明装置の設置を完了する。尚、最後の照明器具２ｎは、照明器具取付取外部６内に位置させたままとしても良いし、外れ防止片５が設けられている位置まで移動させるようにしても良い。
【００１９】
このような設置状態では、レール１の外れ防止片５間の隙間の上方には、光源支持部１１に突設した鍔１２が位置するので、この鍔１２はレール１内に埃が侵入するのを防ぐことができ、従って埃によって車輪８が動きにくくなるのを防ぐことができる。
【００２０】
次に照明器具２の蛍光灯１０を取り替える際には、上述と逆に、まず照明器具２ｎの電源プラグ１３を外し、また次の照明器具２ｎ-1の電源プラグ１３を外した後、照明器具取付取外部６において照明器具２ｎを持ち上げるとループ１６は鉤部１５から自然に外れて係合が解除され、こうして照明器具２ｎをレール１から外してコーヴ４内から取り出すことができる。次いで照明器具２ｎ-1を、連結されている他の全ての照明器具２と共に移動して、照明器具取付取外部６に至らせ、上述と同様に、次の照明器具２ｎ-2の電源プラグ１３を外した後、持ち上げることにより、照明器具２ｎ-1をレール１から外してコーヴ４内から取り出すことができる。
そして、このようにしてコーヴ４内から取り出した照明器具２は、上述した動作により、再びコーヴ４内のレール１に沿った所定の位置にもたらすことができる。
【００２１】
以上説明したように、コーヴ４内のレール１に沿った所定の位置に配置される複数の照明器具２を、レール１に照明器具取付取外部６を設けているロビー１７の位置、即ち中二階部１８において取り外し、そして再び取り付けを行うことができるので、この取り外し、取り付けの過程内において、蛍光灯１０の取り替えを行うことができる。
蛍光灯１０の取り外し及び取り付けは、原理的には上記過程内のどこで行っても良いのであるが、例えば、取り外し及び取り付けのいずれにおいても、照明器具２が取り外し及び取り付けに際して、照明器具取付取外部６に置かれている状態において行うようにすれば、安全性を高めることができる。
【００２２】
このように蛍光灯の取り替えを行う位置は、レール１に沿った適所に設定することができるので、例えば上述した例に示すように、天井３の高いロビー１７等において中二階１８等のように、天井までの距離が短くなる場所がある場合には、そこに設定すると、高い足場ではなく脚立程度の低い足場で上述した作業が可能である。また中二階等の場所がなく高い足場が必要な場合でも、この足場は、レール１に沿った１個所に構成すれば良く、大掛かりな足場は必要でない。
【００２３】
次に本発明は、以上に説明した実施の形態の他、例えば、次のような形態をとることもできるものである。
ａ．レールと、このレールに沿って移動する照明器具の構成を変更することができる。例えば、上述した実施の形態では、照明器具は、移動部の車輪が溝形のレール内を移動する構成であるが、例えばモノレールのような構成で、照明器具がレールを挟んで移動するような構成とすることもできる。そしてこのような場合において、照明器具取付取外部をレールに設けず、照明器具において、適宜に取付、取外が可能な構成とすることができる。
ｂ．隣接する照明器具の連結は、上述した鉤部とループでなく、他の適宜の連結機構を適用することができる。
ｃ．隣接する照明器具間の電源線の接続は、上述した電源プラグと電源アウトレットでなく、適宜のコネクタを適用することができる。
ｄ．照明器具取付取外部は、レールの端側でなく、中間部に構成することもできる。また照明器具取付取外部は、１個所でなく、場合によっては２個所程度構成することもできる。
【００２４】
【発明の効果】
本発明は以上のとおり、ホテルのロビーのように床面から高い位置に配置される間接照明のための全ての照明器具の光源の取り替え作業を、予め設定した場所において行うことができるので、次のような効果がある。
ａ．本発明を適用したロビー等の構成によっては、高い足場を使用せず、脚立程度の低い足場で作業を行うことができるので、安全性が高い。
ｂ．ａ．のように脚立では作業ができない場合においても、高い足場は少なくとも１個所に設置すれば良いので、足場の設置に要するコストが低いし、安全性も高い。
【図面の簡単な説明】
【図１】  本発明の間接照明装置の設置例を示すもので、図２のＸ−Ｘ線の矢視方向に見た説明的平面図である。
【図２】  本発明の間接照明装置の設置例を示すもので、ロビーの天井部の横断面図である。
【図３】  本発明の間接照明装置を構成する要素の実施の形態を示す斜視図である。
【図４】  図１の要素を組み合せた使用状態を示す斜視図である。
【図５】  使用状態の要部拡大平面図である。
【図６】  使用状態の要部拡大正面図である。
【図７】  使用状態の要部拡大横断面図である。
【図８】  レールに対する照明器具の出し入れ動作を示す要部拡大横断面図である。
【図９】  レールの斜視図である。
【符号の説明】
１                    レール
２                    照明器具
３                    天井
４                    コーヴ
５                    外れ防止片
６                    エンドプレート
７                    照明器具取付取外部
８                    車輪
９                    移動部
１０                  光源（蛍光灯）
１１                  光源支持部
１２                  鍔
１３                  電源プラグ
１４                  電源アウトレット
１５                  鉤部
１６                  ループ
１７                  ロビー
１８                  中二階部
【図１】
0003963231.tif 000002
【図２】
0003963231.tif 000003
【図３】
0003963231.tif 000004
【図４】
0003963231.tif 000005
【図５】
0003963231.tif 000006
【図６】
0003963231.tif 000007
【図７】
0003963231.tif 000008
【図８】
0003963231.tif 000009
【図９】
0003963231.tif 000010